(57)【要約】【課題】ＫＶＭスイッチのケーブル取り回し容易性を向上させると共にコストを低減する。【解決手段】ＫＶＭスイッチは、ツイストペア信号線を有するデジタル映像ケーブルを介して映像表示デバイスと接続する映像用端子と、ＵＳＢケーブルを介してＵＳＢデバイスと接続するＵＳＢ端子と、複数のコンピュータと接続する複数のコンピュータ接続用端子と、映像用端子およびＵＳＢ端子と複数のコンピュータ接続用端子の１つとを切り替え可能に接続する切り替え部と、コンピュータ接続用端子とコンピュータとを接続するコンピュータ接続ケーブルとを備える。コンピュータ接続ケーブルは、デジタル映像ケーブルと同構成の原デジタル映像ケーブルのコンピュータ側の端部にＵＳＢ用コネクタを追加し、ＵＳＢ用コネクタの２つのデータ信号用ピンを原デジタル映像ケーブルに含まれるツイストペア信号線に接続した構成である。【選択図】図３
2014191555.tif 000002
【特許請求の範囲】
【請求項１】
ＫＶＭスイッチであって、
ツイストペア信号線を含む複数の信号線を有するデジタル映像ケーブルを介して映像表示デバイスと接続するための映像用端子と、
ＵＳＢケーブルを介してＵＳＢデバイスと接続するためのＵＳＢ端子と、
複数のコンピュータと接続するための複数のコンピュータ接続用端子と、
前記映像用端子および前記ＵＳＢ端子と前記複数のコンピュータ接続用端子のいずれか１つとを切り替え可能に接続する切り替え部と、
前記複数のコンピュータ接続用端子と前記複数のコンピュータとを接続するためのコンピュータ接続ケーブルと、を備え、
前記コンピュータ接続ケーブルは、前記デジタル映像ケーブルと同構成の原デジタル映像ケーブルの前記コンピュータ側の端部にＵＳＢ用コネクタを追加し、前記ＵＳＢ用コネクタの有する２つのデータ信号用ピンを前記原デジタル映像ケーブルに含まれるツイストペア信号線に接続した構成のケーブルである、ＫＶＭスイッチ。
【請求項２】
請求項１に記載のＫＶＭスイッチであって、
前記コンピュータ接続ケーブルにおいて、前記ＵＳＢ用コネクタの有する電力用ピンは、前記デジタル映像ケーブルに含まれる電力線と接続されており、
前記ＫＶＭスイッチは、さらに、前記コンピュータ接続ケーブルの前記電力用ピンおよび前記電力線を介して前記コンピュータから供給される電力を前記コンピュータ接続用端子を介して受領し、前記ＫＶＭスイッチと、前記映像用端子に接続される映像表示デバイスと、前記ＵＳＢ端子に接続されるＵＳＢデバイスと、に対して動作電力を供給する電源部を備える、ＫＶＭスイッチ。
【請求項３】
請求項１または請求項２に記載のＫＶＭスイッチであって、
前記デジタル映像ケーブルは、ＨＤＭＩ１．４規格とＤＶＩ規格との一方に対応したケーブルである、ＫＶＭスイッチ。
【発明の詳細な説明】
【技術分野】
【０００１】
本発明は、ＫＶＭスイッチに関する。
【背景技術】
【０００２】
１組のキーボード、モニタ、マウスによって複数のコンピュータを切り替えて操作するためのＫＶＭスイッチ（Ｋｅｙｂｏａｒｄ  Ｖｉｄｅｏ  Ｍｏｕｓｅ  Ｓｗｉｔｃｈ）が知られている（例えば特許文献１参照）。ＫＶＭスイッチは、ＣＰＵ切替器とも呼ばれる。ＫＶＭスイッチとキーボードおよびマウスとの接続には、例えばＵＳＢ（Ｕｎｉｖｅｒｓａｌ  Ｓｅｒｉａｌ  Ｂｕｓ）規格に対応したＵＳＢケーブルが用いられ、ＫＶＭスイッチとモニタとの接続には、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ、登録商標）規格に対応したＨＤＭＩケーブルやＤＶＩ（Ｄｉｇｉｔａｌ  Ｖｉｓｕａｌ  Ｉｎｔｅｒｆａｃｅ）規格に対応したＤＶＩケーブルといったデジタル映像ケーブルが用いられる。また、ＫＶＭスイッチと各コンピュータとの接続には、ＵＳＢケーブルとデジタル映像ケーブルとの両方が用いられる。
【先行技術文献】
【特許文献】
【０００３】
【特許文献１】特開２００５−１４２９０７号公報
【発明の概要】
【発明が解決しようとする課題】
【０００４】
従来のＫＶＭスイッチでは、コンピュータとの接続にＵＳＢケーブルとデジタル映像ケーブルとの両方が用いられるため、ケーブルの取り回し容易性の点で向上の余地があると共に、ケーブルのコストが増大する傾向にあるという問題があった。
【０００５】
なお、このような課題は、キーボード、モニタ、マウスに限らず、少なくとも１つのＵＳＢデバイスと少なくとも１つの映像デバイスとの両方によって複数のコンピュータを切り替えて操作するＫＶＭスイッチに共通の課題であった。
【０００６】
本発明は、上述の課題を解決するためになされたものであり、ＫＶＭスイッチのケーブル取り回し容易性を向上させると共にケーブルのコストを低減することを目的とする。
【課題を解決するための手段】
【０００７】
上記課題の少なくとも一部を解決するために、本発明は、以下の形態または適用例として実現することが可能である。
【０００８】
［適用例１］ＫＶＭスイッチであって、
ツイストペア信号線を含む複数の信号線を有するデジタル映像ケーブルを介して映像表示デバイスと接続するための映像用端子と、
ＵＳＢケーブルを介してＵＳＢデバイスと接続するためのＵＳＢ端子と、
複数のコンピュータと接続するための複数のコンピュータ接続用端子と、
前記映像用端子および前記ＵＳＢ端子と前記複数のコンピュータ接続用端子のいずれか１つとを切り替え可能に接続する切り替え部と、
前記複数のコンピュータ接続用端子と前記複数のコンピュータとを接続するためのコンピュータ接続ケーブルと、を備え、
前記コンピュータ接続ケーブルは、前記デジタル映像ケーブルと同構成の原デジタル映像ケーブルの前記コンピュータ側の端部にＵＳＢ用コネクタを追加し、前記ＵＳＢ用コネクタの有する２つのデータ信号用ピンを前記原デジタル映像ケーブルに含まれるツイストペア信号線に接続した構成のケーブルである、ＫＶＭスイッチ。
【０００９】
このＫＶＭスイッチでは、コンピュータ接続ケーブルの構成が、デジタル映像ケーブルと同構成の原デジタル映像ケーブルのコンピュータ側の端部にＵＳＢ用コネクタを追加し、ＵＳＢ用コネクタの有する２つのデータ信号用ピンを原デジタル映像ケーブルに含まれるツイストペア信号線に接続した構成であるため、ＫＶＭスイッチとコンピュータとの間で、コンピュータ接続ケーブルを介して、デジタル映像信号の送受信を行うことができると共に、ＵＳＢ規格に準拠したデータ信号の送受信も行うことができる。そして、このコンピュータ接続ケーブルは、従来のＫＶＭスイッチに用いられるＵＳＢケーブルおよびデジタル映像ケーブルの組み合わせと比較して、ケーブル取り回し容易性が高く、コストが低い。従って、このＫＶＭスイッチでは、ケーブル取り回し容易性を向上させると共にケーブルのコストを低減することができる。
【００１０】
［適用例２］適用例１に記載のＫＶＭスイッチであって、
前記コンピュータ接続ケーブルにおいて、前記ＵＳＢ用コネクタの有する電力用ピンは、前記デジタル映像ケーブルに含まれる電力線と接続されており、
前記ＫＶＭスイッチは、さらに、前記コンピュータ接続ケーブルの前記電力用ピンおよび前記電力線を介して前記コンピュータから供給される電力を前記コンピュータ接続用端子を介して受領し、前記ＫＶＭスイッチと、前記映像用端子に接続される映像表示デバイスと、前記ＵＳＢ端子に接続されるＵＳＢデバイスと、に対して動作電力を供給する電源部を備える、ＫＶＭスイッチ。
【００１１】
このＫＶＭスイッチでは、コンピュータ接続ケーブルのＵＳＢコネクタの有する電力用ピンがデジタル映像ケーブルに含まれる電力線に接続されているため、電源部は、コンピュータ接続ケーブルの電力用ピンおよび電力線を介してコンピュータから供給される電力をコンピュータ接続用端子を介して受領することができ、ＫＶＭスイッチと映像表示デバイスとＵＳＢデバイスとに対して動作電力を供給することができる。従って、このＫＶＭスイッチでは、プラグやＡＣアダプタといった部品を不要とすることができ、構成を簡素化できると共にコストを低減することができる。
【００１２】
［適用例３］適用例１または適用例２に記載のＫＶＭスイッチであって、
前記デジタル映像ケーブルは、ＨＤＭＩ１．４規格とＤＶＩ規格との一方に対応したケーブルである、ＫＶＭスイッチ。
【００１３】
このＫＶＭスイッチでは、ＨＤＭＩ１．４規格とＤＶＩ規格との一方に対応したデジタル映像ケーブルの取り回し容易性を向上させると共にコストを低減することができる。
【００１４】
なお、本発明は、種々の態様で実現することが可能であり、例えば、ＫＶＭスイッチ、ＫＶＭスイッチ用ケーブル等の形態で実現することができる。
【図面の簡単な説明】
【００１５】
【図１】本発明の第１実施例におけるＫＶＭスイッチ１０の構成を概略的に示す説明図である。
【図２】コンピュータ接続ケーブルＨＵＣａの構成を示す説明図である。
【図３】コンピュータ接続ケーブルＨＵＣａの各コネクタの各ピンおよびケーブルの各線における信号配置を示す説明図である。
【図４】第２実施例におけるＫＶＭスイッチ１０の構成を概略的に示す説明図である。
【図５】第２実施例におけるコンピュータ接続ケーブルＨＵＣａの各コネクタの各ピンおよびケーブルの各線における信号配置を示す説明図である。
【発明を実施するための形態】
【００１６】
次に、本発明の実施の形態を実施例に基づいて以下の順序で説明する。
Ａ．第１実施例：
Ｂ．第２実施例：
Ｃ．変形例：
【００１７】
Ａ．第１実施例：
図１は、本発明の第１実施例におけるＫＶＭスイッチ１０の構成を概略的に示す説明図である。ＫＶＭスイッチ１０は、キーボード３２０、マウス３３０、モニタ３１０といったデバイスに接続されると共に、複数のコンピュータ（以下、「ＰＣ」と呼ぶ）２００と接続され、キーボード３２０、マウス３３０、モニタ３１０といったデバイスによって複数のＰＣ２００を切り替えて操作するためのスイッチである。図１に示した例では、ＫＶＭスイッチ１０は、２つのＰＣ２００（ＰＣ（１）およびＰＣ（２））と接続されており、各デバイスと２つのＰＣ２００の内の一方とを切り替え可能に接続する。
【００１８】
図１に示すように、ＫＶＭスイッチ１０は、ＫＶＭスイッチ本体１００と、ＫＶＭスイッチ本体１００と各ＰＣ２００とを接続するためのコンピュータ接続ケーブルＨＵＣａと、を備えている。
【００１９】
ＫＶＭスイッチ本体１００は、各デバイスと接続するための端子を有している。具体的には、ＫＶＭスイッチ本体１００は、映像表示デバイスとしてのモニタ３１０と接続するためのデバイス用ＨＤＭＩ端子１２０と、キーボード３２０およびマウス３３０といったＵＳＢデバイスと接続するための２つのデバイス用ＵＳＢ端子（デバイス用ＵＳＢ端子（１）および（２））１３０と、を有している。ＫＶＭスイッチ本体１００のデバイス用ＨＤＭＩ端子１２０とモニタ３１０とは、デジタル映像ケーブルとしてのＨＤＭＩケーブルＨＣａを介して接続される。本実施例では、ＨＤＭＩ１．４規格に対応したケーブルおよび端子が用いられる。そのため、ＨＤＭＩケーブルＨＣａは、ツイストペア信号線を含む複数の信号線を有するケーブルとなっている。ＫＶＭスイッチ本体１００のデバイス用ＵＳＢ端子１３０と各ＵＳＢデバイス（キーボード３２０およびマウス３３０）とは、ＵＳＢケーブルＵＣａを介して接続される。本実施例では、ＵＳＢ２．０規格に対応したケーブルおよび端子が用いられる。また、ＫＶＭスイッチ本体１００は、２つのデバイス用ＵＳＢ端子１３０で取り扱われるＵＳＢ信号を分配するＵＳＢハブ１５４を有している。
【００２０】
ＫＶＭスイッチ本体１００は、また、ＰＣ２００と接続するための２つのＰＣ用端子（ＰＣ用端子（１）および（２））１１０を有している。各ＰＣ用端子１１０は、標準のＨＤＭＩ端子１１２を含んでいる。ＫＶＭスイッチ本体１００の各ＰＣ用端子１１０と各ＰＣ２００とは、コンピュータ接続ケーブルＨＵＣａを介して接続される。コンピュータ接続ケーブルＨＵＣａの構成は、後に詳述する。
【００２１】
ＫＶＭスイッチ本体１００は、また、デバイス用ＨＤＭＩ端子１２０と各ＰＣ用端子１１０との間に位置し、デバイス用ＨＤＭＩ端子１２０と２つのＰＣ用端子１１０のいずれか一方とを切り替え可能に接続するＨＤＭＩセレクタ１４０と、ＵＳＢハブ１５４と各ＰＣ用端子１１０との間に位置し、ＵＳＢハブ１５４（に接続されたデバイス用ＵＳＢ端子１３０）と２つのＰＣ用端子１１０のいずれか一方とを切り替え可能に接続するＵＳＢスイッチ１５２と、を有している。ＨＤＭＩセレクタ１４０およびＵＳＢスイッチ１５２は、切替指示部１６０により受領されたユーザーからの切り替え指示に応じて、接続先のＰＣ用端子１１０の切り替えを行う。切り替え指示に応じたＨＤＭＩセレクタ１４０およびＵＳＢスイッチ１５２の切り替え動作により、各デバイス（モニタ３１０、キーボード３２０、マウス３３０）の接続先のＰＣ２００の切り替えが実現される。ＨＤＭＩセレクタ１４０およびＵＳＢスイッチ１５２は、本発明における切り替え部に相当する。
【００２２】
ＫＶＭスイッチ本体１００は、また、ＫＶＭスイッチ本体１００とＫＶＭスイッチ本体１００に接続されるデバイス（モニタ３１０、キーボード３２０、マウス３３０）とに動作電力を供給する電源部１７０を有する。
【００２３】
図２は、コンピュータ接続ケーブルＨＵＣａの構成を示す説明図である。また、図３は、コンピュータ接続ケーブルＨＵＣａの各コネクタの各ピンおよびケーブルの各線における信号配置を示す説明図である。図２に示すように、コンピュータ接続ケーブルＨＵＣａの構成は、原ＨＤＭＩケーブルのＰＣ２００側にＵＳＢコネクタＵＣＮが追加された構成である。ここで、原ＨＤＭＩケーブルは、モニタ３１０との接続に用いられるＨＤＭＩケーブルＨＣａと同構成のデジタル映像ケーブルである。すなわち、原ＨＤＭＩケーブルは、ツイストペア信号線を含む複数の信号線を有するＨＤＭＩ用のケーブルＣａと、ケーブルＣａの両端に接続されたＨＤＭＩコネクタＨＣＮと、を有している。なお、コンピュータ接続ケーブルＨＵＣａの一方の端部（図２の左側の端部）に配置されたコネクタ（ＨＤＭＩコネクタＨＣＮｐおよびＵＳＢコネクタＵＣＮｐ）は、ＰＣ２００のＨＤＭＩ端子２０２およびＵＳＢ端子２０４に接続するためのコネクタであり（図１参照）、他方の端部（図２の右側の端部）に配置されたコネクタ（ＨＤＭＩコネクタＨＣＮｄ）は、デバイス側、すなわちＫＶＭスイッチ本体１００のＰＣ用端子１１０のＨＤＭＩ端子１１２に接続するためのコネクタである。
【００２４】
図３に示すように、コンピュータ接続ケーブルＨＵＣａのＨＤＭＩコネクタＨＣＮの各ピンの信号配置は、原則として、通常のＨＤＭＩケーブルＨＣａと同じである。また、ケーブルＣａの構成も、通常のＨＤＭＩケーブルＨＣａ用のケーブルと同じである。すなわち、ケーブルＣａにおいて、本来、ＨＤＭＩコネクタＨＣＮの１３，１４番ピンに接続されるべき信号線ＴＰ１，ＴＰ２がツイストペアを構成している。なお、この１３，１４番ピンに接続されるべきツイストペア信号線ＴＰ１，ＴＰ２は、ＨＤＭＩ１．４規格において、Ｅｔｈｅｒｎｅｔ（登録商標）用として利用可能となっている（１３番ピンに接続されるべき信号線はＣＥＣとしても利用可能）。
【００２５】
ここで、図３に示すように、本実施例のコンピュータ接続ケーブルＨＵＣａでは、ＵＳＢコネクタＵＣＮｐの有する２つのデータ信号用ピン（Ｄ＋用ピンおよびＤ−用ピン）が、ケーブルＣａの信号線ＴＰ１，ＴＰ２に接続されている。ケーブルＣａの信号線ＴＰ１，ＴＰ２は、ツイストペアを構成しているため、ＵＳＢのデータ信号の高速転送が可能である。また、ＫＶＭスイッチ本体１００側のＨＤＭＩコネクタＨＣＮｄの１３，１４番ピンは、ＵＳＢの２つのデータ信号（Ｄ＋およびＤ−）用として利用される。従って、本実施例のコンピュータ接続ケーブルＨＵＣａを用いれば、ＰＣ２００とＫＶＭスイッチ本体１００のＰＣ用端子１１０との間のＵＳＢデータ信号の転送を行うことができる。
【００２６】
また、本実施例のコンピュータ接続ケーブルＨＵＣａでは、ＰＣ２００側のＨＤＭＩコネクタＨＣＮｐの１３，１４番ピンは、ケーブルＣａのいずれの信号線にも接続されていない。そのため、ＰＣ２００はコンピュータ接続ケーブルＨＵＣａを介してＥｔｈｅｒｎｅｔ信号を送受信することができないが、一般にＰＣ２００は他のＥｔｈｅｒｎｅｔインタフェースを有していることが多いため、問題となる可能性は低い。各ＨＤＭＩコネクタＨＣＮの１３，１４番ピン以外のピンは、通常のＨＤＭＩケーブルＨＣａと同様に、ケーブルＣａの対応する信号線に接続されているため、本実施例のコンピュータ接続ケーブルＨＵＣａを用いれば、ＰＣ２００とＫＶＭスイッチ本体１００のＰＣ用端子１１０のＨＤＭＩ端子１１２との間のＨＤＭＩ１．４に準拠したデータ転送を行うことができる。
【００２７】
以上説明したように、本実施例のＫＶＭスイッチ１０のコンピュータ接続ケーブルＨＵＣａは、通常のＨＤＭＩケーブルＨＣａと同じ構成の原ＨＤＭＩケーブルのＰＣ２００側にＵＳＢコネクタＵＣＮｐを追加し、ＵＳＢコネクタＵＣＮｐの有する２つのデータ信号用ピンをケーブルＣａにおいてツイストペアを構成する信号線ＴＰ１，ＴＰ２に接続することにより製造される。従って、本実施例では、ＫＶＭスイッチ本体１００とＰＣ２００との間で、コンピュータ接続ケーブルＨＵＣａを介して、Ｅｔｈｅｒｎｅｔを除くＨＤＭＩ１．４規格に準拠した信号の送受信を行うことができると共に、ＵＳＢ規格に準拠したデータ信号の送受信も行うことができる。そして、本実施例のコンピュータ接続ケーブルＨＵＣａは、ケーブルＣａ部分が通常のＨＤＭＩケーブルＨＣａ用のケーブルと同じ構成であるため、従来のＫＶＭスイッチに用いられるＵＳＢケーブルおよびデジタル映像ケーブルの組み合わせと比較して、ケーブル取り回し容易性が高い。また、本実施例のコンピュータ接続ケーブルＨＵＣａは、通常のＨＤＭＩケーブルＨＣａ用のケーブルにＵＳＢコネクタＵＣＮを追加したものであるため、従来のＫＶＭスイッチに用いられるＵＳＢケーブルおよびデジタル映像ケーブルの組み合わせと比較して、コストが低い。従って、本実施例のＫＶＭスイッチでは、ケーブル取り回し容易性を向上させると共にケーブルのコストを低減することができる。
【００２８】
Ｂ．第２実施例：
図４は、第２実施例におけるＫＶＭスイッチ１０の構成を概略的に示す説明図である。第２実施例のＫＶＭスイッチ１０は、電源およびコンピュータ接続ケーブルＨＵＣａの構成の点で図１に示した第１実施例のＫＶＭスイッチ１０と異なっており、その他の点は第１実施例のＫＶＭスイッチ１０と同じである。
【００２９】
図４に示すように、第２実施例では、電源部１７０が、ダイオード１７２を介して、各ＰＣ用端子１１０のＨＤＭＩ端子１１２の電源端子に接続されている。
【００３０】
図５は、第２実施例におけるコンピュータ接続ケーブルＨＵＣａの各コネクタの各ピンおよびケーブルの各線における信号配置を示す説明図である。第２実施例のコンピュータ接続ケーブルＨＵＣａは、第１実施例と同様に、原ＨＤＭＩケーブルのＰＣ２００側にＵＳＢコネクタＵＣＮｐが追加された構成である。第２実施例のコンピュータ接続ケーブルＨＵＣａでは、ＵＳＢコネクタＵＣＮｐの有する電力用ピン（ＶＤＤ）およびグラウンド用ピン（ＧＮＤ）が、ケーブルＣａの電力およびグラウンドに対応する信号線に接続されている。また、ＫＶＭスイッチ本体１００側のＨＤＭＩコネクタＨＣＮｄの１８番ピンは、電力用（ＶＤＤ）として利用される。従って、第２実施例のコンピュータ接続ケーブルＨＵＣａを用いれば、ＰＣ２００とＫＶＭスイッチ本体１００のＰＣ用端子１１０との間でのＵＳＢデータ信号の転送に加えて、ＰＣ２００からＫＶＭスイッチ本体１００のＰＣ用端子１１０への電力供給を行うことができる。ＰＣ用端子１１０に供給された電力は、ダイオード１７２を介して電源部１７０に入力する。また、電源部１７０は、デバイス用ＨＤＭＩ端子１２０，デバイス用ＵＳＢ端子１３０に対して電源を供給するように接続されている。これにより、電源部１７０は、商用電源からのＡＣ電力の入力を受けることなく、ＫＶＭスイッチ本体１００とＫＶＭスイッチ本体１００に接続されるデバイス（モニタ３１０、キーボード３２０、マウス３３０）とに動作電力を供給することができる。
【００３１】
なお、ＵＳＢ２．０規格によれば、最大電流５００ｍＡの電源供給が可能である。図４の例では、ＫＶＭスイッチ１０は２台のＰＣ２００に接続されているため、最大電流１Ａの電源供給を受けることができる。
【００３２】
以上説明したように、第２実施例のＫＶＭスイッチ１０のコンピュータ接続ケーブルＨＵＣａは、通常のＨＤＭＩケーブルＨＣａと同じ構成の原ＨＤＭＩケーブルのＰＣ２００側にＵＳＢコネクタＵＣＮｐを追加し、ＵＳＢコネクタＵＣＮｐの有する２つのデータ信号用ピンをケーブルＣａにおいてツイストペアを構成する信号線ＴＰ１，ＴＰ２に接続すると共に、ＵＳＢコネクタＵＣＮｐの有する電力用ピンをケーブルＣａの電力に対応する信号線に接続することにより製造される。従って、第２実施例のＫＶＭスイッチ１０は、コンピュータ接続ケーブルＨＵＣａを介してＰＣ２００から供給される電力によって動作することができ、プラグやＡＣアダプタを不要とすることができる。
【００３３】
Ｃ．変形例：
なお、この発明は上記の実施例や実施形態に限られるものではなく、その要旨を逸脱しない範囲において種々の態様において実施することが可能であり、例えば次のような変形も可能である。
【００３４】
上記各実施例におけるＫＶＭスイッチ１０の構成は、あくまで一例であり、種々変形可能である。例えば、上記各実施例では、ＫＶＭスイッチ１０に接続されるＵＳＢデバイスとして、キーボード３２０およびマウス３３０を例示したが、キーボード３２０およびマウス３３０に代えて、あるいは、キーボード３２０およびマウス３３０に加えて、他のＵＳＢデバイス（ハードディスクドライブやプリンタ）がＫＶＭスイッチ１０に接続されるとしてもよい。
【００３５】
また、上記各実施例では、ＫＶＭスイッチ１０に２つのＰＣ２００が接続され、２つのＰＣ２００間で切り替えが実行されるとしているが、ＫＶＭスイッチ１０に接続されて切り替えの対象となるＰＣ２００の数は、３つ以上であってもよい。また、ＫＶＭスイッチ１０に接続されるコンピュータは、いわゆるパーソナルコンピュータに限らず、サーバー等を含む広義のコンピュータであってよい。
【００３６】
また、上記各実施例では、映像・音声データの転送のためにＨＤＭＩ１．４規格に対応したケーブルおよび端子が用いられるとしているが、ツイストペア信号線を含む複数の信号線を有するデジタル映像ケーブルを用いたデータ転送が可能な規格であれば、例えばＤＶＩといった他の規格に対応したケーブルおよび端子が用いられるとしてもよい。また、上記各実施例では、キーボード３２０やマウス３３０用の信号転送のためにＵＳＢ２．０規格に対応したケーブルおよび端子が用いられるとしているが、ＵＳＢ２．０以外のＵＳＢ規格に対応したケーブルおよび端子が用いられるとしてもよい。
【００３７】
また、上記各実施例において、ハードウェアによって実現されていた構成の一部をソフトウェアに置き換えるようにしてもよく、逆に、ソフトウェアによって実現されていた構成の一部をハードウェアに置き換えるようにしてもよい。
【符号の説明】
【００３８】
１０…ＫＶＭスイッチ
１００…ＫＶＭスイッチ本体
１１０…ＰＣ用端子
１１２…ＨＤＭＩ端子
１２０…デバイス用ＨＤＭＩ端子
１３０…デバイス用ＵＳＢ端子
１５２…ＵＳＢスイッチ
１５４…ＵＳＢハブ
１６０…切替指示部
１７０…電源部
１７２…ダイオード
２００…ＰＣ
２０２…ＨＤＭＩ端子
２０４…ＵＳＢ端子
３１０…モニタ
３２０…キーボード
３３０…マウス
ＨＵＣａ…コンピュータ接続ケーブル
【図１】
2014191555.tif 000003
【図２】
2014191555.tif 000004
【図３】
2014191555.tif 000005
【図４】
2014191555.tif 000006
【図５】
2014191555.tif 000007